(57)【特許請求の範囲】
【請求項１】
全体を軟質ゴムで成形し、その上表面および下表面にはそれぞれ円柱状突起および円筒状突起を千鳥状にほぼ均一に形成し、
この円柱状突起の直径とこの円筒状突起の内径の直径をほぼ同一にすると共に、
この上表面に形成した円柱状突起の中心とこの下表面に形成した円筒状突起の中心とは垂直方向で一致し、
この上表面に形成した円筒状突起の中心とこの下表面に形成した円柱状突起の中心とは垂直方向で一致することを特徴とする低ばね防振パッド。
【請求項２】
上表面および下表面の外周部には、その外周部を一周する少なくとも１個の第１の突条を設けたことを特徴とする請求項１記載の低ばね防振パッド。
【請求項３】
上表面および下表面の外周部に設けた少なくとも１個の第１の突条の内側に、この第１の突条の高さより低い第２の突条を設けたことを特徴とする請求項２記載の低ばね防振パッド。
【発明の詳細な説明】
【０００１】
【発明の属する技術分野】
本発明は、コンクリート道床に設置される枕木用弾性支承装置の底板と枕木との間に設け、枕木の垂直方向に加わる荷重を吸収する低ばね防振パッドに関する。
【０００２】
【従来の技術】
通常、トンネルなどの床を構成するコンクリートスラブの上にコンクリート道床が打設される。このコンクリート道床上には、一対の枕木用弾性支承装置が所定の間隔で多数並置される。そして、この一対の枕木用弾性支承装置によってコンクリート枕木が支承される。
そして、この枕木用弾性支承装置の底板とコンクリート枕木の間に、低ばね防振パッドを設け、列車の走行時の騒音防止や、振動が接地面に伝わるのを防止したり、列車の乗り心地を良くすることができる。
【０００３】
図９は従来の低ばね防振パッドを示す平面図であり、図１０は図９のＤ１−Ｄ２断面を示す図であり、図１１は図７のＥ１−Ｅ２断面を示す図である。これらの図において、１は低ばね防振パッドであり、この低ばね防振パッド１は軟質ゴムで成形し、その上表面および下表面にはそれぞれ格子状に突条２を形成すると共に、その内部には複数本、例えば１８本の横孔３が互いに平行に貫通形成されている。
上記構成の低ばね防振パッド１は、上表面および下表面にそれぞれ格子状に形成した突条２と内部に設けた複数本、例えば１８本の横孔３とによって、低ばね化することができ、上方からの荷重を受けて、その振動を効率的に吸収することができる。
【０００４】
【発明が解決しようとする課題】
しかしながら、従来の低ばね防振パッドは、内部に複数本、例えば１８本の横孔を設ける必要があるため、その製造工程においては、金型に複数本、例えば１８本の横ピンをセットし、加硫したのち、この横ピンを抜かなければならない。このため、多大な工数がかかるという課題がある。
【０００５】
したがって、本発明の低ばね防振パッドの目的は、製造工程が簡単であり、しかも、簡単な構造で低ばね化の実現するものである。
【０００６】
【発明を解決するための手段】
本発明に係る低ばね防振パッドは、全体を軟質ゴムで成形し、その上表面および下表面にはそれぞれ円柱状突起および円筒状突起を千鳥状にほぼ均一に形成し、この円柱状突起の直径とこの円筒状突起の内径の直径をほぼ同一にすると共に、この上表面に形成した円柱状突起の中心とこの下表面に形成した円筒状突起の中心とは垂直方向で一致し、この上表面に形成した円筒状突起の中心とこの下表面に形成した円柱状突起の中心とは垂直方向で一致するものである。
【０００７】
また、本発明に係る低ばね防振パッドは、全体を軟質ゴムで成形し、その上表面および下表面にはそれぞれ円柱状突起および円筒状突起を千鳥状にほぼ均一に形成し、この円柱状突起の直径とこの円筒状突起の内径の直径をほぼ同一にすると共に、この上表面に形成した円柱状突起の中心とこの下表面に形成した円筒状突起の中心とは垂直方向で一致し、この上表面に形成した円筒状突起の中心とこの下表面に形成した円柱状突起の中心とは垂直方向で一致させ、さらに、上表面および下表面の外周部にはその外周部を一周する少なくとも１個の第１の突条を設けたものである。
【０００８】
また、本発明に係る低ばね防振パッドは、全体を軟質ゴムで成形し、その上表面および下表面にはそれぞれ円柱状突起および円筒状突起を千鳥状にほぼ均一に形成し、この円柱状突起の直径とこの円筒状突起の内径の直径をほぼ同一にすると共に、この上表面に形成した円柱状突起の中心とこの下表面に形成した円筒状突起の中心とは垂直方向で一致し、この上表面に形成した円筒状突起の中心とこの下表面に形成した円柱状突起の中心とは垂直方向で一致させ、さらに、上表面および下表面の外周部にはその外周部を一周する少なくとも１個の第１の突条を設けると共に、この第１の突条の内側に、厚み方向において、この第１の突条の高さより低い第２の突条を設けたものである。
【０００９】
【発明の実施の形態】
図１は本発明に係る低ばね防振パッドの一実施例を示す平面図であり、図２は図１のＡ１−Ａ２断面を示す図である。これらの図において、４は低ばね防振パッドであり、この低ばね軌道パッド４は軟質ゴムで成形し、その上表面および下表面にはそれぞれ円柱状突起５および円筒状突起６を千鳥状にほぼ均一に形成したものである。
なお、この円柱状突起５の直径Ｓとこの円筒状突起６の内径の直径Ｔをほぼ同一（Ｓ＝Ｔ、Ｓ≒Ｔ）にし、しかも、この上表面に形成した円柱状突起５の中心とこの下表面に形成した円筒状突起６の中心とは垂直方向で一致するように形成し、同様に、この上表面に形成した円筒状突起６の中心とこの下表面に形成した円柱状突起５の中心とは垂直方向で一致するように形成したものである。
【００１０】
次に、上記構成の低ばね防振パッド４の動作（低ばね化）について、図３および図４を参照して説明する。まず、図３において、上表面の円柱状突起５に矢印Ｍで示すように上方から荷重が加わったとき、下表面の円筒状突起６は矢印Ｎで示すように水平方向にせん断変形することができる。
同様に、図４において、上表面の円筒状突起６に矢印Ｍで示すように上方から荷重が加わったとき、下表面の円柱状突起５があるため、上表面の円筒状突起６は矢印Ｎで示すように水平方向にせん断変形することができる。
このように、防振パッド４に加わる荷重（振動）を効率的に吸収することができるため、低ばね化することができる。
【００１１】
図５は本発明に係る低ばね防振パッドの他の実施例を示す平面図であり、図６は図５のＢ１−Ｂ２断面を示す図である。これらの図において、７は第１の突条であり、この第１の突条７は外周部を一周するように形成したものである。
次に、上記構成の低ばね防振パッドの第１の突条７の動作（機能）について説明する。この低ばね防振パッドの上表面に、何らかの原因によって、水平方向の力または分力が加わったとき、この低ばね防振パッドの下表面は位置決めのために固定されているので、この低ばね防振パッドの断面形状が並行四辺形に変形するが、この第１の突条７によって、直ちにその変形を復旧することができる。
なお、円柱状突起５および円筒状突起６の動作（低ばね化）については、図１〜図４で説明したと同様であることはもちろんである。
また、この第１の突条７を１本設けた場合を示したが、これに限定することなく、複数本設けてもよいことはもちろんである。
【００１２】
図７は本発明に係る低ばね防振パッドの更に他の実施例を示す平面図であり、図８は図７のＣ１−Ｃ２断面を示す図である。これらの図において、８は第２の突条であり、この第２の突条８は外周面を一周する第１の突条７の内側に形成し、しかも、この第２の突条８の高さは上記第１の突条７の高さよりも低く形成したものである。
次に、上記構成の低ばね防振パッドの第２の突条８の動作（機能）について説明する。この低ばね防振パッドの上表面に、何らかの原因によって、垂直方向に通常より大きな力または分力が加わったとき、この第２の突条８で受け止めることができる。
なお、円柱状突起５、円筒状突起６、突条７の動作（低ばね化）については、図１〜図４で説明したと同様であることはもちろんである。
また、この第２の突条８を１本設けた場合を示したが、これに限定することなく、複数本設けてもよいことはもちろんである。
【００１３】
【発明の効果】
以上詳細に説明したように、本発明に係る低ばね防振パッドによれば、簡単な構造であるため、製造が簡単になり、しかも、ばね定数を一定値に維持する、いわゆる、低ばね化を実現することができる。このため、枕木の垂直方向に加わる振動荷重を有効に吸収することができる効果がある。
【図面の簡単な説明】
【図１】本発明の係る低ばね防振パッドの一実施例を示す平面図である。
【図２】図１のＡ１−Ａ２断面を示す図である。
【図３】図１の動作を説明するため、図２の一部を拡大した断面図である。
【図４】図１の動作を説明するため、図２の一部を拡大した断面図である。
【図５】本発明の係る低ばね防振パッドの他の実施例を示す平面図である。
【図６】図５のＢ１−Ｂ２断面を示す図である。
【図７】本発明の係る低ばね防振パッドの更に他の実施例を示す平面図である。
【図８】図７のＣ１−Ｃ２断面を示す図である。
【図９】従来の低ばね防振パッドを示す平面図である。
【図１０】図９のＤ１−Ｄ２断面を示す図である。
【図１１】図９のＥ１−Ｅ２断面を示す図である。
【符号の説明】
４    低ばね防振パッド
５    円柱状突起
６    円筒状突起
７    第１の突条
８    第２の突条
【図１】
0004122489.tif 000002
【図２】
0004122489.tif 000003
【図３】
0004122489.tif 000004
【図４】
0004122489.tif 000005
【図５】
0004122489.tif 000006
【図６】
0004122489.tif 000007
【図７】
0004122489.tif 000008
【図８】
0004122489.tif 000009
【図９】
0004122489.tif 000010
【図１０】
0004122489.tif 000011
【図１１】
0004122489.tif 000012